(57)【要約】【課題】搬送用コンベアを備え循環搬送することにより飲食物を提供する飲食物提供システムにおいて、飲食物の搬送状況を飲食客に容易に認知させることができる飲食物提供システムを提供する。【解決手段】回転寿司店には、カウンターテーブル２１，２２が設けられている。また、カウンターテーブル２１，２２の内周部分に沿って無端状のコンベア２４ａが設けられている。この場合に、注文物２３ａは識別用プレート５１とともにコンベア２４ａによって搬送される。識別用プレート５１には一の座席番号に対応したＩＤ情報が記憶されたＩＣチップ５３が配設されており、このＩＤ情報は各座席２５に対応した位置に設けられた読取装置５５にて読み取られる。そして、この読み取られたＩＤ情報に基づいて注文装置３１のスピーカ部３３から到着報知用の音声が出力される。【選択図】      図２
2007167475.tif 000002
【特許請求の範囲】
【請求項１】
搬送路により飲食物を搬送する搬送装置と、前記搬送路に沿って配置される複数の座席スペースとを備えた飲食物提供システムにおいて、
前記搬送路により搬送され、所定のＩＤ情報が記憶された識別手段と、
前記搬送路の所定位置を通過する識別手段から前記ＩＤ情報を非接触で読み取る読取装置と、
読取装置が読み取ったＩＤ情報に基づいて搬送状況報知が実行されるように報知手段を制御する報知制御手段と
を備えたことを特徴とする飲食物提供システム。
【請求項２】
前記所定のＩＤ情報は、前記各座席スペースに設定された座席番号に対応したＩＤ情報であり、
前記報知制御手段は、前記読取装置により読み取られた前記ＩＤ情報の種別を判別する判別手段を備え、判別手段の判別結果に基づいて前記搬送状況報知として注文物が到着したことを知らせる到着報知が実行されるように前記報知手段を制御することを特徴とする請求項１に記載の飲食物提供システム。
【請求項３】
前記報知手段を、前記各座席スペースに対応させて設けたことを特徴とする請求項１又は請求項２に記載の飲食物提供システム。
【請求項４】
前記読取装置を、前記各座席スペースに対応させて設けたことを特徴とする請求項１乃至請求項３のいずれかに記載の飲食物提供システム。
【請求項５】
前記各読取装置を、前記搬送路における前記各座席スペースに対応した領域の上流側にて前記ＩＤ情報を読み取るように設けたことを特徴とする請求項４に記載の飲食物提供システム。
【請求項６】
飲食物の注文に際して操作される注文装置を前記各座席スペースに設けるとともに、前記各注文装置からの注文情報を前記座席番号に関連付けて表示する表示装置を厨房スペースに設け、
さらに、前記報知手段を前記各座席スペースに対応させて設けるとともに、前記各注文装置に前記報知制御手段を設けたことを特徴とする請求項４又は請求項５に記載の飲食物提供システム。
【請求項７】
前記各注文装置は前記注文操作に際して操作案内を行うスピーカを備え、
前記報知手段を前記スピーカによって兼用し、報知音又は報知音声により前記搬送状況報知を実行することを特徴とする請求項６に記載の飲食物提供システム。
【請求項８】
前記報知手段はスピーカであり、報知音又は報知音声により前記搬送状況報知を実行することを特徴とする請求項１乃至請求項６のいずれかに記載の飲食物提供システム。
【請求項９】
前記搬送路は無端状であり、前記搬送装置によって飲食物を循環搬送することを特徴とする請求項１乃至請求項８のいずれかに記載の飲食物提供システム。
【請求項１０】
前記飲食物は皿に載せられて前記搬送路により搬送される構成とし、
前記識別手段を、前記皿とは別体とし、且つ前記皿に対して非装着状態で搬送することを特徴とする請求項１乃至請求項９のいずれかに記載の飲食物提供システム。
【発明の詳細な説明】
【技術分野】
【０００１】
本発明は、飲食店における飲食物提供システムに関する。
【背景技術】
【０００２】
飲食店の飲食物提供システムとして、いわゆる回転寿司店で採用されているように、カウンター等の飲食台に沿って無端状の搬送用コンベア（搬送路）を備え、飲食物を搬送用コンベア上に載置して循環搬送するシステムが知られている（例えば、特許文献１参照）。当該システムが採用された飲食店においては、飲食客は循環搬送される飲食物から所望の飲食物を選びながら飲食をすることができる。
【０００３】
また、当該飲食店では、飲食客が注文した飲食物も搬送用コンベアにより搬送される。この場合に、搬送用コンベア上には飲食物が連ねて配置されるため、他の飲食物に対して注文物を識別できるように、例えば、座席番号などといった注文客に対応した識別番号を付した識別プレートなどが注文物に添えられている。
【０００４】
しかしながら、搬送用コンベアによる循環搬送は常に行われているため、注文客は注文物を取り忘れないように搬送状況を監視する必要が生じてしまう。この場合、その監視に意識が偏り、飲食を楽しむことができなくなるおそれがある。また、飲食をしながら、又は複数人で連れ添って来ている場合には会話をしながら、注文物を待つ注文客に関しては、飲食や会話をしている間に注文物が通過してしまうおそれがある。この場合、再度、循環してくるまで注文物を待つ必要が生じてしまう。
【０００５】
さらに、上記飲食店では、お勧めの飲食物などを飲食客に認知させるべく、その旨の告知プレートなどが添えられることがあるが、飲食や会話をしている飲食客はその告知プレートに気付かないことが多くあり、その認知が不十分なものとなってしまう。
【特許文献１】特開２００１−２９２０８号公報
【発明の開示】
【発明が解決しようとする課題】
【０００６】
本発明は、搬送路を介して搬送することにより飲食物を提供する飲食物提供システムにおいて、飲食物の搬送状況を飲食客に容易に認知させることができる飲食物提供システムを提供することを目的とするものである。
【課題を解決するための手段】
【０００７】
以下、上記課題を解決するのに有効な手段等につき、必要に応じて作用、効果、より踏み込んだ具体的手段等を示しつつ説明する。なお以下では、理解を容易にするため、発明の実施の形態において対応する構成を括弧書き等で適宜示すが、この括弧書き等で示した具体的構成に限定されるものではない。
【０００８】
手段１．搬送路（コンベア２４ａ）により飲食物を搬送する搬送装置（搬送装置２４）と、前記搬送路に沿って配置される複数の座席スペース（座席２５、カウンターテーブル２１，２２における各座席２５に対応した領域）とを備えた飲食物提供システムにおいて、
前記搬送路により搬送され、所定のＩＤ情報が記憶された識別手段（識別用プレート５１）と、
前記搬送路の所定位置を通過する識別手段から前記ＩＤ情報を非接触で読み取る読取装置（読取装置５５）と、
読取装置が読み取ったＩＤ情報に基づいて搬送状況報知が実行されるように報知手段（スピーカ３６）を制御する報知制御手段（到着報知処理を行う機能）と
を備えたことを特徴とする飲食物提供システム。
【０００９】
手段１によれば、飲食物は搬送路により搬送され、各座席スペースに着席した飲食客は所望の飲食物を選びながら飲食をする。
【００１０】
この場合に、所定のＩＤ情報が記憶された識別手段が搬送路により搬送され、この記憶されたＩＤ情報は読取装置にて読み取られる。そして、読み取られたＩＤ情報に基づいて、報知手段にて搬送状況報知が実行される。これにより、各座席スペースに着席した飲食客に搬送状況を報知することができる。よって、飲食物の搬送状況を飲食客に容易に認知させることができる。
【００１１】
また、上記システムにおいては、飲食店の店員は搬送状況報知に関して飲食物を搬送路に投入するのに合わせて識別手段を投入するだけでよく、それ以外の作業を必要としない。よって、店員の作業を煩雑なものとさせることなく上記効果を奏することができる。
【００１２】
手段２．前記所定のＩＤ情報は、前記各座席スペースに設定された座席番号に対応したＩＤ情報であり、
前記報知制御手段は、前記読取装置により読み取られた前記ＩＤ情報の種別を判別する判別手段（ステップＳ１０３の処理を行う機能）を備え、判別手段の判別結果に基づいて前記搬送状況報知として注文物（注文物２３ａ）が到着したことを知らせる到着報知が実行されるように前記報知手段を制御することを特徴とする手段１に記載の飲食物提供システム。
【００１３】
手段２によれば、読取装置にて読み取られたＩＤ情報は種別が判別され、判別結果に基づいて注文物が到着したことを知らせる到着報知が実行される。これにより、注文物が到着したことをその注文客に容易に認知させることができる。
【００１４】
手段３．前記報知手段を、前記各座席スペースに対応させて設けたことを特徴とする手段１又は手段２に記載の飲食物提供システム。
【００１５】
手段３によれば、各座席スペースの飲食客に対して搬送状況報知を確実に行うことができる。
【００１６】
手段４．前記読取装置を、前記各座席スペースに対応させて設けたことを特徴とする手段１乃至手段３のいずれかに記載の飲食物提供システム。
【００１７】
手段４によれば、ＩＤ情報の読み込みが各座席スペースに対応した位置にて行われる。これにより、識別手段の通過を搬送路における各座席スペースに対応した位置にて確実に把握することができ、各座席スペースの飲食客に対して搬送状況報知を確実に行うことができる。また、例えば、各座席スペースに対応させて読取装置を設けない構成においては、所定の読取装置により読み取ったＩＤ情報に基づいて各座席スペースではタイミングを計って搬送状況報知を行う必要があるため、報知制御手段における処理が複雑化してしまう。これに対して、本手段によれば、各読取装置により読み取ったＩＤ情報に基づいて各座席スペースではタイミングを計ることなく搬送状況報知を行うことができるので、報知制御手段における処理構成の簡素化を図ることができる。
【００１８】
手段５．前記各読取装置を、前記搬送路における前記各座席スペースに対応した領域の上流側にて前記ＩＤ情報を読み取るように設けたことを特徴とする手段４に記載の飲食物提供システム。
【００１９】
手段５によれば、識別手段の通過をその座席スペースの飲食客に対して早い段階で報知することができ、その通過を搬送路における各座席スペースに対応した領域にあるうちに飲食客に気付かせることが可能となる。
【００２０】
手段６．飲食物の注文に際して操作される注文装置（注文装置３１）を前記各座席スペースに設けるとともに、前記各注文装置からの注文情報を前記座席番号に関連付けて表示する表示装置（注文確認モニタ４２）を厨房スペース（厨房スペース１３）に設け、
さらに、前記報知手段を前記各座席スペースに対応させて設けるとともに、前記各注文装置に前記報知制御手段を設けたことを特徴とする手段４又は手段５に記載の飲食物提供システム。
【００２１】
手段６によれば、飲食物の注文に際しては各座席スペースにて注文装置が操作される。そして、かかる注文操作が行われることで、厨房スペースに設けられた表示装置にて注文情報が座席番号に関連付けて表示される。これにより、厨房スペースでは店員が注文物を調理して搬送路に投入する。この際、注文物とともにＩＤ情報として座席番号が記憶された識別手段が投入されることで、注文客に対して注文物が到着したことを報知することができる。
【００２２】
この場合に、報知手段が各座席スペースに対応させて設けられているので、各座席スペースの飲食客に対して搬送状況報知を確実に行うことができる。また、報知手段を制御する注文装置が各座席スペースに設けられており、さらに上記手段４を備えていることによりＩＤ情報の読み取りが各座席スペースに対応した位置にて行われる。つまり、本手段によれば、搬送状況報知の一連の処理が各座席スペースでそれぞれ独立して行われる。よって、かかる処理構成の簡素化を図ることができる。
【００２３】
さらには、上記のとおり、注文操作が行われる注文装置により報知手段の制御が実行される。つまり、注文装置に係わる処理と、搬送状況報知に係わる処理とが一の装置（制御装置）にて実行される。よって、構成の簡素化を図ることができる。
【００２４】
手段７．前記各注文装置は前記注文操作に際して操作案内を行うスピーカ（スピーカ３６）を備え、
前記報知手段を前記スピーカによって兼用し、報知音又は報知音声により前記搬送状況報知を実行することを特徴とする手段６に記載の飲食物提供システム。
【００２５】
手段７によれば、飲食物の注文に際しては各座席スペースにて注文装置のスピーカから出力される操作案内にしたがって注文操作が行われる。この場合に、このスピーカを用いて搬送状況報知が実行される。よって、構成の簡素化を図ることができる。
【００２６】
また、搬送状況報知が報知音又は報知音声により行われるので、飲食客の視線の向きに関係なく効果的に搬送状況報知を実行することができる。
【００２７】
手段８．前記報知手段はスピーカ（スピーカ３６）であり、報知音又は報知音声により前記搬送状況報知を実行することを特徴とする手段１乃至手段６のいずれかに記載の飲食物提供システム。
【００２８】
手段８によれば、搬送状況報知が報知音又は報知音声により行われるので、飲食客の視線の向きに関係なく効果的に搬送状況報知を実行することができる。
【００２９】
手段９．前記搬送路は無端状であり、前記搬送装置によって飲食物を循環搬送することを特徴とする手段１乃至手段８のいずれかに記載の飲食物提供システム。
【００３０】
手段９によれば、飲食物が循環搬送されるので、搬送路上に投入した飲食物が飲食客に選択される機会が多くなる。この場合に、注文客が注文物の通過に気付かないと、再度循環してくるまで注文物を待つ必要が生じてしまう。また、飲食客がお勧めの飲食物の通過に気付かない場合も同様である。これに対して、上記手段１の構成を備え搬送状況報知が実行されることにより、上記不都合の発生を抑制することができる。
【００３１】
手段１０．前記飲食物は皿に載せられて前記搬送路により搬送される構成とし、
前記識別手段を、前記皿とは別体とし、且つ前記皿に対して非装着状態で搬送することを特徴とする手段１乃至手段９のいずれかに記載の飲食物提供システム。
【００３２】
手段１０によれば、搬送される飲食物が載せられた皿（飲食皿）が飲食客により取り出されたとしても、識別手段は搬送路に残る。これにより、搬送路の所定位置にて使用後の識別手段を回収することができるので、識別手段の回収作業の作業性が向上する。また、使用後は直ぐに回収することができるので、飲食店にて必要な識別手段の数を抑えることができる。
【発明を実施するための最良の形態】
【００３３】
以下、飲食店における飲食物提供システムを回転寿司店に適用した場合の一実施の形態を、図面に基づいて説明する。図１は回転寿司店内の概略平面図、図２は回転寿司店内の一部の座席スペースを拡大して示す斜視図である。
【００３４】
図１に示すように、この回転寿司店１０内にはフロアスペース１１が設けられている。フロアスペース１１は、飲食スペース１２、厨房スペース１３及び待機・会計スペース１４に大別される。
【００３５】
飲食スペース１２には、店内を平面視した状態で略コ字状をなすカウンターテーブル２１，２２が一対設けられている。また、寿司が載せられた皿２３（寿司皿）などの飲食物を搬送するための搬送装置２４が設けられている。詳細には、カウンターテーブル２１，２２は、図２に示すように、その内周部分が高くなるように段差状に形成されており、搬送装置２４のコンベア２４ａがこの内周部分に沿って設けられている。コンベア２４ａは無端状であり、一部が厨房スペース１３内を通過するように配設されていることで両カウンターテーブル２１，２２に亘って位置している。そして、コンベア２４ａが一定方向に駆動されていることで、飲食物が循環搬送されている。また、各カウンターテーブル２１，２２には外周に沿って一人掛けの座席２５が多数並設されており、入店した飲食客はいずれかの座席２５に着席する。座席２５に着席した飲食客は、所望の寿司などを選びながら飲食をすることができる。この場合に、一の座席２５とそれに対応したカウンターテーブル２１，２２の領域から、一の座席スペースが形成されている。
【００３６】
厨房スペース１３には、図示しない各種厨房機器が設けられている。そして、厨房スペース１３内では寿司ネタその他の飲食物の下ごしらえや各種調理、食器洗いなどが行われている。この場合に、上記のとおり、コンベア２４ａが厨房スペース１３を通過しており、寿司皿２３等は厨房スペース１３内にてコンベア２４ａ上に載置されることでカウンターテーブル２１，２２における各座席２５に対応した位置を通過する。また、厨房スペース１３の一角には事務所スペース２６が設けられている。事務所スペース２６には各種事務機器が設けられている。そして、事務所スペース２６内では店の事務管理が行われる。
【００３７】
待機・会計スペース１４には、店内の座席２５が満席となった場合などに際して、飲食客が待機するための長椅子２７が設置されている。また、飲食物の会計を行うための会計台２８が設けられている。
【００３８】
以上のように構成された回転寿司店１０に入店した飲食客は、座席２５に空席があればその空席となっている座席２５のうち所望の座席２５に着席する。店員に所定の座席２５に案内されそこで着席する場合もある。満席となっている場合には、飲食客は長椅子２７などで空席が生じるまで待ち、空席が生じればその座席２５に案内されることになる。次いで、案内された座席２５に着席した飲食客は、その場所でコンベア２４ａにより搬送されている寿司皿２３を取り出して飲食する。そして、飲食が終われば座席２５を外れ、会計台２８で会計を済ませた後、店から出る。他方、店員は、飲食スペース１２や待機・会計スペース１４で、座席２５への案内、飲食物の片付け、会計など客を相手にした作業を行う一方、厨房スペース１３では、寿司を握るなど各種飲食物を調理したり、食器を洗ったりするなどの作業を行う。
【００３９】
ここで、この回転寿司店１０では、注文装置３１を用いて注文を行い、さらに注文物が到着したことをその注文客に報知する飲食物提供システムが構築されている。以下、かかる飲食物提供システムについて説明する。
【００４０】
図２に示すように、注文装置３１は、各座席２５に１対１で対応して設けられている。注文装置３１は、タッチパネル式の表示画面３２を有しており、さらに内部には表示画面３２における表示内容の制御や、表示画面３２へのタッチ操作に対応した制御を行うための制御装置が設けられている。さらに、スピーカが内蔵されており、当該スピーカの出力音はスピーカ部３３を介して出力される。そして、各飲食客は、スピーカ部３３を介して出力される音声に案内されながら表示画面３２をタッチ操作することにより、所望の寿司等の注文を行うことができる。この場合に、各座席２５には予め所定の座席番号が決められており、各注文装置３１にも各座席２５に対応した座席番号が決められている。したがって、タッチ操作による注文情報は、座席番号の情報が付与されて出力される。
【００４１】
各注文装置３１から出力される注文情報は、事務所スペース２６内に設置された管理コンピュータ４１により管理される。この管理される注文情報は、厨房スペース１３に設けられた２台の注文確認モニタ４２にてそれぞれ表示され、店員は当該モニタ４２を確認することで注文に対応した寿司などを調理して上記コンベア２４ａを介して各注文客に搬送する。この際、注文物２３ａは、コンベア２４ａ上に直接載置されるのではなく注文に係わる座席番号が付された識別用筒４３上に載置されて搬送されるようになっている。これにより、飲食客にとっては、注文物２３ａを他の寿司皿２３等に対して区別することができる。ちなみに、注文客が注文物２３ａを取り出す際には、その寿司皿等のみを取り出し、識別用筒４３は取り出さない。よって、識別用筒４３はコンベア２４ａ上に残り、この残った識別用筒４３は厨房スペース１３にて店員により回収される。
【００４２】
また、飲食物提供システムは、注文物２３ａに添えられる識別用プレート５１と、各座席２５に対応した位置にてコンベア２４ａを跨ぐようにして設けられたアーチ状の読取装置５５とを備えている。
【００４３】
識別用プレート５１は、上述した識別用筒４３に対して着脱可能に装着されている。本構成では、識別用プレート５１に固定された線材５２の先端が識別用筒４３に対して引っ掛け可能となっていることで識別用プレート５１が着脱可能となっているが、かかる着脱に関する構成は任意である。このように、識別用プレート５１を着脱可能とすることで、同一の座席２５において同時に複数の注文がなされた場合には、図２に示すように、先頭の注文物２３ａの識別用筒４３にのみ識別用プレート５１を装着し、その後方の注文物２３ａの識別用筒４３には識別用プレート５１を装着しないようにすることができる。すなわち、回転寿司店１０において必要な識別用プレート５１の数を抑えることができる。
【００４４】
この識別用プレート５１には、ＩＣチップ５３が配設されている。識別用プレート５１は各座席番号に対応させて用意されており、各識別用プレート５１のＩＣチップ５３にはその座席番号に対応したＩＤ情報が記憶されている。
【００４５】
読取装置５５は各注文装置３１に１対１で対応して設けられており、各読取装置５５はコンベア２４ａにおける各座席２５に対応した領域の上流側端部にそれぞれ配置されている。各読取装置５５からは、微弱な電波が出力されており、この電波で誘導電磁界が形成されている。そして、コンベア２４ａによる搬送により誘導電磁界内に識別用プレート５１が入ると、ＩＣチップ５３の図示しないアンテナに電磁誘導で起電力が発生し、この起電力を電源としてＩＣチップ５３のメモリーに書き込まれているＩＤ情報が送信され読取装置５５にて受信される。つまり、読取装置５５は、ＩＣチップ５３に記憶されたＩＤ情報を識別用プレート５１に対して非接触で読み取る。
【００４６】
次に、上記飲食物提供システムの全体構成を図３のブロック図に基づいて説明する。
【００４７】
注文装置３１は上述したように、座席２５毎に１対１で設けられており、１〜ｎの座席番号に合わせるようにして注文装置３１−１，３１−２，・・・３１−ｎがそれぞれ設けられている。各注文装置３１には、制御装置である１チップマイコンとしてのＣＰＵ３５が内蔵されている。ＣＰＵ３５には、当該ＣＰＵ３５により実行される各種の制御プログラムや固定値データを記憶したＲＯＭと、そのＲＯＭ内に記憶される制御プログラムの実行に際して各種データ等を一時的に記憶するためのメモリであるＲＡＭが内蔵されている。ＣＰＵ３５の制御により表示画面３２における表示内容が制御される。また、各注文装置３１には、ＣＰＵ３５の制御に基づいて駆動されるスピーカ３６が内蔵されており、スピーカ３６からの音又は音声はスピーカ部３３を介して出力される。なお、注文装置３１は、上記以外にも、表示画面３２における所定の表示を実行する表示用ドライバ、タッチ操作された際の入力装置であるタッチパネル、及びその入力制御を実行するタッチパネル用ドライバが設けられている。
【００４８】
これら各座席２５に設けられた注文装置３１はそれぞれ管理コンピュータ４１に接続されている。この接続は有線、無線いずれの方式であってもよい。そして、注文装置３１の表示画面３２がタッチ操作されることにより、それに対応した注文情報ＳＧ１が管理コンピュータ４１に送信される。この場合に、この注文情報ＳＧ１には、注文物２３ａの種類の情報と、座席番号の情報とが少なくとも含まれている。
【００４９】
管理コンピュータ４１は、注文装置３１と同様に１チップマイコンとしてのＣＰＵ４５を備えており、各注文装置３１から注文情報ＳＧ１を受信することにより、注文物２３ａの種類、及び注文が行われた座席番号を注文データとしてＣＰＵ４５に内蔵されたＲＡＭに記憶する。
【００５０】
２台の注文確認モニタ４２はそれぞれ管理コンピュータ４１に接続されている。管理コンピュータ４１はＲＡＭに記憶した注文データに基づき、注文物２３ａの種類及び座席番号を示す画面を注文確認モニタ４２に表示させる。なお、注文確認モニタ４２に表示される項目は、注文物２３ａの種類と座席番号に限定されるものではなく、例えば受注時間など、その他の情報を表示させることも可能である。
【００５１】
読取装置５５は上述したように、注文装置３１毎、すなわち、座席２５毎で設けられており、１〜ｎの座席番号に合わせるようにして読取装置５５−１，５５−２，・・・５５−ｎがそれぞれ設けられている。これら各読取装置５５は対応する各注文装置３１にそれぞれ接続されている。この接続は有線、無線いずれの方式であってもよい。そして、識別用プレート５１が添えられた寿司皿２３等が通過することでＩＣチップ５３からＩＤ情報を受信することにより、当該ＩＤ情報ＳＧ２を注文装置３１に送信する。各注文装置３１では、この受信したＩＤ情報ＳＧ２に基づいて、注文物２３ａが到着したことをその注文客に報知するための到着報知を実行する。
【００５２】
次に、注文装置３１における到着報知処理を、図４のフローチャートを参照して説明する。なお、到着報知処理は、所定周期（例えば、１０ｍｓｅｃ）で繰り返し実行される。
【００５３】
先ずステップＳ１０１では、注文装置３１のＲＡＭに設けられた入力フラグ格納エリアにＩＤ情報入力フラグがセットされているか否かを判別する。ＩＤ情報入力フラグは、コンベア２４ａにより搬送される識別用プレート５１が読取装置５５により形成された誘導電磁界内に入ることで注文装置３１にてＩＤ情報ＳＧ２の受信が開始されることによりセットされ、識別用プレート５１が誘導電磁界内から出ることで注文装置３１にてＩＤ情報ＳＧ２の受信が終了されることによりクリアされる。
【００５４】
ＩＤ情報入力フラグがセットされていない場合には、ステップＳ１０２にて読取装置５５からＩＤ情報ＳＧ２を受信したか否かを判別する。ＩＤ情報ＳＧ２を受信していない場合には、そのまま本処理を終了する。ＩＤ情報ＳＧ２を受信している場合には、ステップＳ１０３にて受信したＩＤ情報ＳＧ２がＣＰＵ３５のＲＡＭに予めセットされたＩＤ情報と同一か否かを判別する。ここで、各注文装置３１は、ＩＤ情報の入力操作が可能となっており、この入力操作により座席番号に対応したＩＤ情報が予めセットされている。
【００５５】
ステップＳ１０３にてＩＤ情報ＳＧ２がセットされたＩＤ情報と同一でない場合には、そのまま本処理を終了する。ＩＤ情報ＳＧ２がセットされたＩＤ情報と同一の場合には、ステップＳ１０４にて音声出力処理を実行する。音声出力処理では、ＣＰＵ３５のＲＯＭに記憶された報知用音声が１回出力されるようにスピーカ３６を駆動する。この報知用音声として具体的には、「注文物が到着しました」などといった音声が出力される。なお、報知用音声の態様は当然任意であり、さらに報知用音声の代わりに報知音が出力される構成であってもよい。報知用音声が出力されることにより、注文客は注文物が到着したことを、コンベア２４ａの搬送状況を監視していなくても知ることができる。ステップＳ１０４にて音声出力処理を実行した後は、ステップＳ１０５にてＩＤ情報入力フラグをセットした後に本処理を終了する。
【００５６】
一方、ステップＳ１０１にてＩＤ情報入力フラグがセットされている場合には、ステップＳ１０６にて読取装置５５からＩＤ情報ＳＧ２を受信しているか否かを判別する。つまり、セットされたＩＤ情報に対応したＩＤ情報ＳＧ２の受信が継続しているか否かを判別する。かかるＩＤ情報ＳＧ２の受信が継続している場合には、そのまま本処理を終了する。かかるＩＤ情報ＳＧ２の受信が継続していない場合には、ステップＳ１０７にてＩＤ情報入力フラグをクリアした後に本処理を終了する。このように、ＩＤ情報入力フラグのセット／クリアを行うことで、識別用プレート５１の通過に際して報知用音声の出力が１回だけ発生する。よって、到着報知を行いつつ、その報知が過剰となることが防止されている。
【００５７】
以上詳述したように、本実施の形態によれば、以下の優れた効果を有する。
【００５８】
注文物２３ａとともに識別用プレート５１がコンベア２４ａ上を循環搬送され、識別用プレート５１に設けられたＩＣチップ５３に記憶されたＩＤ情報は各座席２５に対応した読取装置５５にて読み取られる。そして、このＩＤ情報の座席番号と対応した座席２５の注文装置３１にて音声により到着報知が実行される。これにより、注文客に注文物２３ａが到着したことを容易に認知させることができる。
【００５９】
また、当該システムにおいては、回転寿司店１０の店員は到着報知に関して注文物２３ａとともに識別用プレート５１を投入するだけでよく、それ以外の作業を必要としない。よって、店員の作業を煩雑なものとさせることなく上記効果を奏することができる。
【００６０】
到着報知を行うスピーカ３６を有する注文装置３１が各座席２５に対応して設けられているため、各座席２５ごとに到着報知が行われる。よって、各座席２５の飲食客に対して到着報知を確実に行うことができる。
【００６１】
読取装置５５を各座席２５に対応させて設けた。これにより、識別用プレート５１の通過をコンベア２４ａにおける各座席２５に対応した位置にて確実に把握することができ、各座席２５の飲食客に対して到着報知を確実に行うことができる。また、例えば、各座席２５に対応させて読取装置５５を設けない構成においては、所定の読取装置５５により読み取ったＩＤ情報に基づいて各注文装置３１ではタイミングを計って到着報知を行う必要があるため、到着報知処理が複雑化してしまう。これに対して、読取装置５５を各座席２５に対応させて設けることで、各読取装置５５により読み取ったＩＤ情報に基づいて各注文装置３１ではタイミングを計ることなく到着報知を行うことができるので、到着報知処理の簡素化を図ることができる。
【００６２】
各読取装置５５を、コンベア２４ａにおける各座席２５に対応した領域の上流側端部にそれぞれ配置した。これにより、到着報知を早い段階で注文客に対して行うことができ、注文物２３ａが到着したことを当該注文物２３ａが各座席２５に対応した領域にあるうちに注文客に気付かせることが可能となる。
【００６３】
各注文装置３１にて到着報知処理が実行される。つまり、到着報知処理が各座席２５にて独立して行われる。よって、到着報知処理を簡素化することができる。また、本構成とすることで、注文操作に係わる処理と、到着報知に係わる処理とが一の制御装置（ＣＰＵ３５）にて実行される。よって、構成の簡素化を図ることができる。さらに、到着報知は、各注文装置３１の操作案内音声などを出力するスピーカ３６から報知音声が出力されることにより行われる。つまり、操作案内用のスピーカ３６を用いて到着報知が実行される。よって、構成の簡素化を図ることができる。
【００６４】
識別用プレート５１は、注文物２３ａの皿に装着されるのではなく、注文物２３ａが載せられる識別用筒４３に装着される。よって、注文客により注文物２３ａが取り出されたとしても、識別用プレート５１はコンベア２４ａ上に残る。これにより、店員は厨房スペース１３にて使用後の識別用プレート５１を回収することができるので、識別用プレート５１の回収作業の作業性が向上する。また、使用後は直ぐに回収することができるので、回転寿司店１０にて必要な識別用プレート５１の数を抑えることができる。
【００６５】
なお、実施の形態は上記した内容に限定されず、例えば次のように実施してもよい。
【００６６】
（１）識別用プレート５１のＩＣチップ５３に特定ＩＤ情報を記憶させることにより、回転寿司店１０におけるお勧めの飲食物の到着報知を行う構成としてもよい。この場合、各読取装置５５にて特定ＩＤ情報が受信され、対応する制御装置（上記実施の形態では、注文装置３１のＣＰＵ３５）に特定ＩＤ情報が送信された場合には、制御装置ではＩＤ情報の種別の判別を行うことなく、「お勧め品が到着しました」などの到着報知を行うよう報知手段（上記実施の形態では、スピーカ３６）を制御する。これにより、飲食客に対してお勧めの飲食物を取り出すように促すことができる。また、かかる報知と注文物が到着したことの報知との両方を行う構成としてもよい。この場合、各制御装置には、座席番号に対応したＩＤ情報だけでなく、特定ＩＤ情報をセットしておく必要がある。
【００６７】
（２）上記実施の形態では、各座席２５に対応させて読取装置５５を設けたが、読取装置５５が各座席２５に対応させて設けられていない構成としてもよい。例えば、読取装置５５を、コンベア２４ａの飲食スペース１２への入り口部分に１個のみ設ける構成としてもよい。但し、本構成においては、各座席２５に対応した位置にて到着報知を行うためには、その一の読取装置５５における読み取りタイミングに対して所定の時間を計測して到着報知を行う必要がある。
【００６８】
（３）各注文装置３１にて到着報知処理を行うのではなく、例えば、管理コンピュータ４１にて到着報知処理を行う構成としてもよい。本構成における到着報知処理では、各読取装置５５にて受信されたＩＤ情報は座席番号の情報とともに管理コンピュータに送信される。管理コンピュータでは、受信したＩＤ情報の種別を判別し、そのＩＤ情報に対応した座席番号と、ＩＤ情報とともに受信した座席番号とが一致した場合に、その座席２５にて到着報知が実行されるように制御する。この場合に、到着報知が上記実施の形態と同様に注文装置３１にて行われる場合には、管理コンピュータ４１は注文装置３１に対して報知指令を送信する。つまり、かかる構成においては、管理コンピュータ４１と各注文装置３１とが双方向通信可能となっている。
【００６９】
（４）上記実施の形態では、ＩＣチップ５３を識別用プレート５１に設け、当該識別用プレート５１を識別用筒４３に対して着脱可能に設けたが、これを変更してもよい。例えば、ＩＣチップ５３を識別用筒４３に設けてもよい。また、識別用筒４３を有底とし、コンベア２４ａへの注文物の投入に際して識別用筒４３内に識別用プレート５１を入れるようにしてもよい。これらの場合、識別用プレート５１の装着作業を行う必要がなくなり、コンベア２４ａへの注文物の投入に際しての作業性を向上させることができる。
【００７０】
また、飲食物が載せられる皿に対して識別用プレート５１を着脱可能に設けてもよい。また、各座席番号に対応させて皿を用意しておき、各皿にＩＣチップ５３を設けてもよい。これらの場合、注文物の投入に際して識別用筒４３を使用しなくてもよい。
【００７１】
（５）上記実施の形態では、識別用筒４３には各座席番号が付与されていたが、座席番号が付与されていなくてもよい。この場合であっても、識別用プレート５１が設けられ到着報知が実行されるため、注文客に注文物の到着を認知させることができる。
【００７２】
（６）上記実施の形態では、到着報知をスピーカ３６からの報知音声により行う構成としたが、これを変更してもよい。例えば、注文装置３１の表示画面３２にて「注文物が到着しました」などの報知表示により行う構成としてもよい。また、各座席２５に対応させてランプ部を設け、当該ランプ部における光の点灯又は点滅により到着報知を行う構成としてもよい。さらに、上記態様を組み合せて到着報知を行う構成としてもよい。
【００７３】
（７）上記実施の形態では、読取装置５５がアーチ状であり、当該読取装置５５を各座席２５に対応した位置にてコンベア２４ａを跨ぐように設けたが、読取装置５５がアーチ状ではなく、当該読取装置５５を各座席２５に対応した位置にてコンベア２４ａの一側部に設けてもよい。
【００７４】
（８）注文装置３１が設けられていない回転寿司店において到着報知などの搬送状況報知を行う構成としてもよい。この場合、搬送状況報知を行うために、スピーカなどの報知手段を設ける必要がある。また、例えば、厨房スペース１３の店員と会話で注文のやり取りを行うためのインターホーンが設けられた店においては、当該インターホーンのスピーカを利用して搬送状況報知を行う構成としてもよい。
【００７５】
（９）上記実施の形態では、コンベア２４ａにおける各座席２５に対応した領域の上流側端部に読取装置５５を設けたが、これを変更してもよい。例えば、搬送方向手前側の座席２５に対応した領域の下流側端部に読取装置５５を設けてもよい。
【００７６】
（１０）飲食物提供システムはテーブル席が設けられた回転寿司店に設けることも可能である。この場合、構成を簡素化すべく、１テーブルで注文装置３１及び読取装置５５を一式設ける構成とするのが好ましい。
【００７７】
（１１）飲食物提供システムは回転寿司店に限らず、搬送装置２４を用いて飲食物を循環搬送又は循環はさせないが所定方向に搬送するその他の飲食店に設けることも可能である。なお、後者の飲食店においては、飲食客によって取り出されなかった飲食物を下流側にて回収する必要がある。
【図面の簡単な説明】
【００７８】
【図１】本実施の形態の回転寿司店内を示す概略平面図である。
【図２】一部の座席スペースを拡大して示す斜視図である。
【図３】本実施の形態の飲食物提供システムを示すブロック図である。
【図４】到着報知処理を示すフローチャートである。
【符号の説明】
【００７９】
１０…回転寿司店、１２…飲食スペース、２４…搬送装置、２４ａ…搬送路としてのコンベア、２５…座席、３１…注文装置、３２…表示画面、３３…スピーカ部、３５…制御装置としてのＣＰＵ、３６…報知手段としてのスピーカ、４１…管理コンピュータ、４２…表示装置としての注文確認モニタ、４３…識別用筒、５１…識別手段としての識別用プレート、５３…ＩＣチップ、５５…読取装置。
【図１】
2007167475.tif 000003
【図２】
2007167475.tif 000004
【図３】
2007167475.tif 000005
【図４】
2007167475.tif 000006